(57)【要約】【課題】血液浄化システムにおいて、各装置を十分に消毒しつつ、ランニングコストを低減させること。【解決手段】血液浄化システム１は、治療モーと洗浄モードとで動作する。洗浄モードでは、ＲＯ装置２は、中央ループ８を介して、ヒータ２６で加熱された清浄水を、透析装置４、Ａ原液タンク５、Ｂ原液タンク６およびセントラル装置３等の各装置へ供給する。これにより、血液浄化システム１では、各装置が、加熱された清浄水によって消毒される。なお、各装置は、加熱された清浄水を供給された後、当該清浄水を、返送用配管３９２，４９２を介して、中央ループ８へ返送する。返送された清浄水は、ＲＯ装置２に戻される。ＲＯ装置２のヒータ２６は、各装置から戻された清浄水を、必要に応じて再度加熱して、中央ループ８へ供給する。当該供給された清浄水は、再度各装置へ供給される。【選択図】図２
2018050751.tif 000002
【特許請求の範囲】
【請求項１】
清浄水を供給するための清浄水供給装置と、
血液浄化治療のために前記清浄水供給装置から清浄水を供給される治療用装置と、
前記清浄水供給装置と他の機器との間で清浄水を循環させるための循環経路と、
前記治療用装置から前記循環経路へ清浄水を返送するための返送用経路と、
前記清浄水供給装置が供給する清浄水を加熱するための加熱手段と、
前記清浄水供給装置と前記治療用装置との間で前記循環経路を介して清浄水を流すための送液手段とを備える、血液浄化システム。
【請求項２】
前記治療用装置は、血液浄化治療のために透析液を循環させる血液浄化装置、透析液を調製するための透析液調製装置、および、透析液を生成するための薬剤を提供する薬剤提供装置の中の少なくとも一つを含む、請求項１に記載の血液浄化システム。
【請求項３】
前記返送用経路の開度を調節するための調節手段と、
前記治療用装置が血液浄化治療を行なっていないときに、洗浄用処理を実行するように構成されたコンピュータとを備え、
前記洗浄用処理は、戦記加熱手段に清浄水を加熱されること、および、前記治療用装置が血液浄化治療を行なっているときよりも前記調節手段による前記返送用経路の開度を高くすることを含む、請求項１または請求項２に記載の血液浄化システム。
【請求項４】
前記コンピュータは、
前記治療用装置の洗浄の指示の入力を受け付けるための入力手段を含み、
前記入力手段に前記指示が入力されたことに応じて、前記治療用装置に当該治療用装置の洗浄を指示し、前記治療用装置の洗浄の完了の通知を受けたことを条件として、前記洗浄用処理を実行するように構成されている、請求項３に記載の血液浄化システム。
【請求項５】
血液浄化システムの制御方法であって、
前記血液浄化システムは、
清浄水を供給するための清浄水供給装置と、
前記清浄水供給装置から清浄水を供給される治療用装置と、
前記清浄水供給装置と他の機器との間で清浄水を循環させるための循環経路と、
前記治療用装置から前記循環経路へ清浄水を返送するための返送用経路と、
前記清浄水供給装置が供給する清浄水を加熱するための加熱手段と、
前記清浄水供給装置と前記治療用装置との間で前記循環経路を介して清浄水を流すための送液手段と、
前記返送用経路の開度を制御するためのコンピュータとを備え、
前記コンピュータが、前記治療用装置が血液浄化治療を行っていないときに、前記加熱手段によって、清浄水を加熱することと、
前記コンピュータが、前記治療用装置が血液浄化治療を行っていないときに、前記治療用装置が血液浄化治療を行っているときよりも前記返送用経路の開度を高くすることと、
前記コンピュータが、前記治療用装置が血液浄化治療を行っていないときに、前記送液手段によって、前記清浄水供給装置と前記治療用装置との間で清浄水を循環させることとを含む、血液浄化システムの制御方法。
【請求項６】
血液浄化システムを制御するための制御装置であって、
前記血液浄化システムは、
清浄水を供給するための清浄水供給装置と、
前記清浄水供給装置から清浄水を供給される治療用装置と、
前記清浄水供給装置と他の機器との間で清浄水を循環させるための循環経路と、
前記治療用装置から前記循環経路へ清浄水を返送するための返送用経路と、
前記清浄水供給装置が供給する清浄水を加熱するための加熱手段と、
前記清浄水供給装置と前記治療用装置との間で前記循環経路を介して清浄水を流すための送液手段と、
前記返送用経路の開度を調節するための調節手段とを備え、
前記制御装置は、
前記治療用装置が血液浄化治療を行っていないときに、前記加熱手段によって、清浄水を加熱し、
前記治療用装置が血液浄化治療を行っていないときに、前記治療用装置が血液浄化治療を行っているときよりも前記調節手段における前記返送用経路の開度を高くし、
前記治療用装置が血液浄化治療を行っていないときに、前記送液手段によって、前記清浄水供給装置と前記治療用装置との間で清浄水を循環させるように構成されている、血液浄化システムの制御装置。
【請求項７】
血液浄化治療のための治療用装置に清浄水を供給するための清浄水供給装置であって、
清浄水を加熱するための加熱手段と、
前記清浄水供給装置と前記治療用装置との間で清浄水を循環させるために清浄水を流す送液手段と、
前記治療用装置から前記清浄水供給装置に清浄水を返送するための返送用経路の開度を制御するように構成されたコンピュータとを備え、
前記コンピュータは、前記治療用装置が血液浄化治療を行なっていないときに、前記加熱手段によって清浄水を加熱し、前記返送用経路の開度を前記治療用装置が血液浄化治療を行なっているときよりも高くし、前記送液手段によって前記清浄水供給装置と前記治療用装置との間で清浄水を循環させるように構成されている、清浄水供給装置。
【請求項８】
血液浄化治療のために、清浄水供給装置から清浄水を供給される治療用装置であって、
前記清浄水供給装置に清浄水を返送するための返送用経路と、
前記返送用経路の開度を調節するための調節手段とを備える、治療用装置。
【発明の詳細な説明】
【技術分野】
【０００１】
本開示は、血液浄化システムに関し、特に、血液浄化システム内の装置の洗浄を行なうための血液浄化システム、当該血液浄化システムの制御方法および制御装置、ならびに、当該血液浄化システムを構成する清浄水供給装置および治療用装置に関する。
【背景技術】
【０００２】
従来、複数の血液浄化装置を含む血液浄化システムが提案されている。このような血液浄化システムは、たとえば、特開２００９−５６２７１号公報（特許文献１）に開示されるように、透析液を供給するためのＡ原液タンクおよびＢ原液タンクと、清浄水を供給するためのＲＯ（Reverse  Osmosis）装置とを含む。Ａ原液タンクは、塩化ナトリウム、塩化カリウム、塩化カルシウム、塩化マグネシウム、無水酢酸ナトリウム、ブドウ糖等を含有するＡ原液を貯蔵するタンクである。Ｂ原液タンクは、炭酸水素ナトリウム等を含有するＢ原液を貯蔵するタンクである。そして、各血液浄化装置は、Ａ原液タンクおよびＢ原液タンクのそれぞれに貯蔵された溶液をＲＯ装置から供給される清浄水で希釈することにより、透析液を供給生成する。
【０００３】
特許文献１では、上記システムの各種のタンクと溶液が通過するラインとを洗浄する方法が検討されている。たとえば、当該ラインの洗浄方法の一例として、Ａ原液タンクおよびＢ原液タンクを空にした状態でこれらに直接清浄水を供給することにより、両タンクとともに上記ラインを洗浄する方法が提案されている。
【先行技術文献】
【特許文献】
【０００４】
【特許文献１】特開２００９−５６２７１号公報
【発明の概要】
【発明が解決しようとする課題】
【０００５】
システムの各装置をより確実に洗浄するために、当該各装置に清浄水を加熱して供給することが検討されている。このためには、たとえば、ＲＯ装置に清浄水を加熱する機能が設けられる。そして、加熱された清浄水が、Ａ原液タンクおよびＢ原液タンクなどのシステム内の各装置に供給される。
【０００６】
熱水による消毒の条件の一例としては、８０℃以上の熱水を１０分間以上流通させることが挙げられる。しかしながら、１０分間以上上記システム内の各装置に供給し続けるためには、相当量の熱水が必要とされ、このため、清浄水を加熱するために相当量の熱量が必要とされる。このことは、上記システムのランニングコストを大幅に上昇させることが予測される。
【０００７】
一方で、コストの低減だけのために単に熱水を流通させる時間を短縮した場合には、システム内の装置の消毒が不十分となる可能性が生じる。
【０００８】
本開示は、かかる実情に鑑み考え出されたものであり、その目的は、血液浄化システムにおいて、各装置を十分に消毒しつつ、ランニングコストを低減させることである。
【課題を解決するための手段】
【０００９】
本開示のある局面に従うと、清浄水を供給するための清浄水供給装置と、血液浄化治療のために清浄水供給装置から清浄水を供給される治療用装置と、清浄水供給装置と他の機器との間で清浄水を循環させるための循環経路と、治療用装置から循環経路へ清浄水を返送するための返送用経路と、清浄水供給装置が供給する清浄水を加熱するための加熱手段と、清浄水供給装置と治療用装置との間で循環経路を介して清浄水を流すための送液手段とを備える、血液浄化システムが提供される。
【００１０】
好ましくは、治療用装置は、血液浄化治療のために透析液を循環させる血液浄化装置、透析液を調製するための透析液調製装置、および、透析液を生成するための薬剤を提供する薬剤提供装置の中の少なくとも一つを含む。
【００１１】
好ましくは、血液浄化システムは、返送用経路の開度を調節するための調節手段と、治療用装置が血液浄化治療を行なっていないときに、洗浄用処理を実行するように構成されたコンピュータとを備える。洗浄用処理は、戦記加熱手段に清浄水を加熱されること、および、治療用装置が血液浄化治療を行なっているときよりも調節手段による返送用経路の開度を高くすることを含む。
【００１２】
好ましくは、コンピュータは、治療用装置の洗浄の指示の入力を受け付けるための入力手段を含む。また、コンピュータは、入力手段に指示が入力されたことに応じて、治療用装置に当該治療用装置の洗浄を指示し、治療用装置の洗浄の完了の通知を受けたことを条件として、洗浄用処理を実行するように構成されている。
【００１３】
本開示の他の局面に従うと、血液浄化システムの制御方法が提供される。血液浄化システムは、清浄水を供給するための清浄水供給装置と、清浄水供給装置から清浄水を供給される治療用装置と、清浄水供給装置と他の機器との間で清浄水を循環させるための循環経路と、治療用装置から循環経路へ清浄水を返送するための返送用経路と、清浄水供給装置が供給する清浄水を加熱するための加熱手段と、清浄水供給装置と治療用装置との間で循環経路を介して清浄水を流すための送液手段と、返送用経路の開度を制御するためのコンピュータとを備える。制御方法は、コンピュータが、治療用装置が血液浄化治療を行っていないときに、加熱手段によって、清浄水を加熱することと、コンピュータが、治療用装置が血液浄化治療を行っていないときに、治療用装置が血液浄化治療を行っているときよりも返送用経路の開度を高くすることと、コンピュータが、治療用装置が血液浄化治療を行っていないときに、送液手段によって、清浄水供給装置と治療用装置との間で清浄水を循環させることとを含む。
【００１４】
本開示のさらに他の局面に従うと、血液浄化システムを制御するための制御装置が提供される。血液浄化システムは、清浄水を供給するための清浄水供給装置と、清浄水供給装置から清浄水を供給される治療用装置と、清浄水供給装置と他の機器との間で清浄水を循環させるための循環経路と、治療用装置から循環経路へ清浄水を返送するための返送用経路と、清浄水供給装置が供給する清浄水を加熱するための加熱手段と、清浄水供給装置と治療用装置との間で循環経路を介して清浄水を流すための送液手段と、返送用経路の開度を調節するための調節手段とを備える。制御装置は、治療用装置が血液浄化治療を行っていないときに、加熱手段によって、清浄水を加熱し、治療用装置が血液浄化治療を行っていないときに、治療用装置が血液浄化治療を行っているときよりも調節手段における返送用経路の開度を高くし、治療用装置が血液浄化治療を行っていないときに、送液手段によって、清浄水供給装置と治療用装置との間で清浄水を循環させるように構成されている。
【００１５】
本開示のさらに他の局面に従うと、血液浄化治療のための治療用装置に清浄水を供給するための清浄水供給装置が提供される。清浄水供給装置は、清浄水を加熱するための加熱手段と、清浄水供給装置と治療用装置との間で清浄水を循環させるために清浄水を流す送液手段と、治療用装置から清浄水供給装置に清浄水を返送するための返送用経路の開度を制御するように構成されたコンピュータとを備える。コンピュータは、治療用装置が血液浄化治療を行なっていないときに、加熱手段によって清浄水を加熱し、返送用経路の開度を治療用装置が血液浄化治療を行なっているときよりも高くし、送液手段によって清浄水供給装置と治療用装置との間で清浄水を循環させるように構成されている。
【００１６】
本開示のさらに他の局面に従うと、血液浄化治療のために、清浄水供給装置から清浄水を供給される治療用装置が提供される。清浄水供給装置に清浄水を返送するための返送用経路と、返送用経路の開度を調節するための調節手段とを備える、治療用装置が提供される。
【発明の効果】
【００１７】
本開示によれば、加熱手段によって加熱された清浄水は、治療用装置に供給された後、清浄水供給装置へと返送される。このことから、治療用装置から返送される清浄水は、治療用装置においてある程度温度が低下しているとしても、加熱手段によって加熱されていない清浄水よりは温度が高いと考えられる。このことから、治療用装置から返送された清浄水を消毒に必要な温度まで加熱するときに必要とされるエネルギは、加熱手段によって加熱されていない清浄水を当該温度まで加熱するときに必要とされるエネルギよりも少ないと考えられる。
【００１８】
したがって、本開示によれば、血液浄化システム内の各装置が十分に消毒されつつ、ランニングコストの低減が達成される。
【図面の簡単な説明】
【００１９】
【図１】血液浄化システムの構成（治療モード）の一例を概略的に示す図である。
【図２】血液浄化システムの構成（洗浄モード）の一例を概略的に示す図である。
【図３】ＲＯ装置のハードウェア構成の一例を概略的に示す図である。
【図４】セントラル装置のハードウェア構成の一例を概略的に示す図である。
【図５】透析装置のハードウェア構成の一例を概略的に示す図である。
【図６】Ａ原液タンクのハードウェア構成の一例を概略的に示す図である。
【図７】Ｂ原液タンクのハードウェア構成の一例を概略的に示す図である。
【図８】第１の実施の形態の血液浄化システムにおける装置間での情報のやり取りを説明するためのタイミングチャートである。
【図９】ＲＯ装置のコントローラのプロセッサによって実行される熱水循環処理のフローチャートである。
【図１０】第２の実施の形態の血液浄化システムの構成（治療モード）の一例を示す図である。
【図１１】第２の実施の形態の血液浄化システムの構成（洗浄モード）の一例を示す図である。
【図１２】第２の実施の形態のＲＯ装置のハードウェア構成の一例を示す図である。
【図１３】第３の実施の形態の血液浄化システムにおける装置間での情報のやり取りを説明するためのタイミングチャートである。
【図１４】第４の実施の形態の血液浄化システムの構成を概略的に示す図である。
【発明を実施するための形態】
【００２０】
以下、図面を参照しつつ、注入装置の実施の形態について説明する。以下の説明では、同一の部品には同一の符号を付してある。それらの名称および機能も同じである。したがって、それらについての詳細な説明は繰り返さない。
【００２１】
［第１の実施の形態］
＜血液浄化システムの構成＞
図１は、血液浄化システムの構成を概略的に示す図である。図１を参照して、血液浄化システムの構成を説明する。
【００２２】
血液浄化システム１は、透析治療に利用される清浄水を供給するＲＯ装置２を含む。ＲＯ装置２は、清浄水供給装置の一例である。そして、ＲＯ装置２は、清浄水を加熱するためのヒータ２６と、清浄水を循環させるためのポンプ（後述する図３のポンプ２７）とを含む。
【００２３】
血液浄化システム１は、また、当該血液浄化システム１内で清浄水を循環させるための中央ループ８を有する。中央ループ８は、清浄水供給装置と他の機器との間で清浄水を循環させるための循環経路の一例である。ＲＯ装置２は、中央ループ８上に、ヒータ２６によって加熱された、または加熱されていない、清浄水を供給する。
【００２４】
血液浄化システム１は、また、患者に透析治療を行なうための１台以上の透析装置４を含む。透析装置４は、清浄水を供給される治療用装置の一例である。また、透析装置４は、血液浄化治療のために透析液を循環させる血液浄化装置の一例である。各透析装置４は、Ａ原液およびＢ原液を収容している。各透析装置４は、供給用配管４９１を介して中央ループ８に接続されている。また、各透析装置４は、中央ループ８に清浄水を返送するための返送用配管４９２を取り付けられている。返送用配管４９２上には、循環用バルブ４９４が設けられている。循環用バルブ４９４は、返送用配管４９２内の流路の開度を調節する調節手段の一例である。なお、調節手段の他の例は、流路の開度を調節可能な弁などであってもよい。
【００２５】
血液浄化システム１は、また、１台以上の透析装置７と、各透析装置７に透析液を供給するセントラル装置３とを含む。血液浄化システム１は、さらに、セントラル装置３にＡ原液を供給するＡ原液タンク５と、セントラル装置３にＢ原液を供給するＢ原液タンク６とを含む。
【００２６】
セントラル装置３は、供給用配管３９１を介して中央ループ８と接続されている。また、セントラル装置３は、中央ループ８に清浄水を返送するための返送用配管３９２を取り付けられている。また、返送用配管３９２上には、循環用バルブ３９４が設けられている。循環用バルブ３９４は、返送用配管３９２内の流路の開度を調節する調節手段の一例である。セントラル装置３は、は、清浄水を供給される治療用装置の一例である。また、セントラル装置３は、透析液を調製するための透析液調製装置の一例である。
【００２７】
Ａ原液タンク５は、供給用配管３９５を介して中央ループ８と接続されている。Ｂ原液タンク６は、供給用配管３９７を介して中央ループ８と接続されている。Ａ原液タンク５およびＢ原液タンク６のそれぞれは、清浄水を供給される治療用装置の一例である。また、Ａ原液タンク５およびＢ原液タンク６のそれぞれは、透析液を生成するための薬剤を提供する薬剤提供装置の一例である。
【００２８】
第１の実施の形態では、血液浄化システム１は、透析治療のための「治療モード」と、血液浄化システム１内の各装置を洗浄するための「洗浄モード」とで、動作する。たとえば、「治療モード」では、ＲＯ装置２は、各装置に、加熱されていない清浄水を供給する。一方、「洗浄モード」では、ＲＯ装置２は、各装置に、ヒータ２６によって加熱された清浄水を供給する。そして、「治療モード」と「洗浄モード」とでは、血液浄化システム１内の清浄水等の液体の流路が異なる。図１では、治療モードでの清浄水等の液体の流路が示されている。以下に、「治療モード」と「洗浄モード」のそれぞれについて、血液浄化システム１内の液体の流路を参照しながら、血液浄化システム１の動作を説明する。
【００２９】
＜治療モードでの動作＞
図１を参照して、治療モードにおける血液浄化システム１の動作を説明する。本明細書では、図面中のヒータ２６の表示態様は、ヒータ２６の動作状態として扱われる。より具体的には、ヒータ２６が白抜きで示されていることは、ヒータ２６が清浄水を加熱していない状態にあることを意味する。また、ヒータ２６が塗りつぶされて示されていることは、ヒータ２６が清浄水を加熱している状態にあることを意味する。
【００３０】
また、本明細書では、図面中の各バルブの表示態様は、各バルブの開閉状態として扱われる。より具体的には、バルブが白抜きで示されていることは、当該バルブが開状態（液体を通過させる状態）にあることを意味する。また、バルブが塗りつぶされて示されていることは、当該バルブが閉状態（液体を通過させない状態）にあることを意味する。
【００３１】
図１では、ヒータ２６は白抜きで示されている。これは、ヒータ２６が清浄水を加熱していないことを示す。そして、ＲＯ装置２は、中央ループ８を介して、血液浄化システム１内の各装置に、加熱されていない清浄水を供給する。
【００３２】
図１では、透析装置４への清浄水の流れが、矢印Ｄ０５で示されている。各透析装置４は、当該Ａ原液およびＢ原液をＲＯ装置２からの清浄水で希釈することによって透析液を調製する。たとえば一人の患者に対して１台の透析装置４が利用される。
【００３３】
また、セントラル装置３への清浄水の流れは、矢印Ｄ０１で示されている。Ａ原液タンク５への清浄水の流れは、矢印Ｄ０２で示されている。Ｂ原液タンク６への清浄水の流れは、矢印Ｄ０３で示されている。さらに、セントラル装置３に対して、Ａ原液タンク５から透析用配管３９６を介してＡ原液が導入され、Ｂ原液タンク６から透析用配管３９８を介してＢ原液が導入される。セントラル装置３は、ＲＯ装置２からの清浄水とＡ原液タンク５からのＡ原液とＢ原液タンク６からのＢ原液とを用いて透析液を調製する。そして、セントラル装置３は、透析用配管３９９および透析用配管７０１を介して、各透析装置７に透析液を供給する。
【００３４】
透析用配管３９９上には透析用バルブ３９３が設けられている。図１では、透析用バルブ３９３は、白抜きで示されている。このことは、セントラル装置３が、各透析装置７へ透析液を供給できることを意味する。図１では、セントラル装置３から各透析装置７への透析液の流れが、矢印Ｄ０４として示されている。
【００３５】
なお、図１では、循環用バルブ３９４，４９４は塗りつぶされている。このことは、循環用バルブ３９４が返送用配管３９２内の流路を閉じていること、および、循環用バルブ４９４が返送用配管４９２内の流路を閉じていることを示す。つまり、治療モードでは、セントラル装置３、Ａ原液タンク５およびＢ原液タンク６に導入された清浄水は、中央ループ８へ返送されない。また、透析装置４に導入された清浄水は、中央ループ８へ返送されない。
【００３６】
＜洗浄モードでの動作＞
図２は、血液浄化システム１における洗浄モードでの清浄水の流れを説明するための図である。図２を参照して、洗浄モードにおける血液浄化システム１の動作を説明する。
【００３７】
図２では、ヒータ２６が塗りつぶされて示されている。このことは、ヒータ２６が清浄水を加熱する状態であることを意味する。つまり、洗浄モードでは、ＲＯ装置２は、中央ループ８に、加熱された清浄水を供給することができる。
【００３８】
図２では、循環用バルブ４９４と循環用バルブ３９４とは白抜きで示されている。つまり、洗浄モードでは、循環用バルブ４９４と循環用バルブ３９４とが流路を開いている。これにより、各透析装置４は、ＲＯ装置２から供給された清浄水を中央ループ８へ返送する。この流れは、矢印Ｄ１３で示されている。また、セントラル装置３は、ＲＯ装置２から供給された清浄水を中央ループ８へ返送する。この流れは、矢印Ｄ１２で示されている。
【００３９】
中央ループ８に返送された清浄水は、ＲＯ装置２へ返送される。この清浄水の流れは、矢印Ｄ１１で示されている。ＲＯ装置２に返送された清浄水は、ヒータ２６で再度加熱されて、中央ループ８に送られる。
【００４０】
なお、図２では、透析用バルブ３９３は塗りつぶされて示されている。つまり、洗浄モードでは、透析用バルブ３９３は、流路を閉じている。このことから、血液浄化システム１では、洗浄モードで提供される加熱された清浄水は、各透析装置７には提供されない。
【００４１】
＜ハードウェア構成＞
次に、血液浄化システム１を構成する各装置のハードウェア構成を説明する。
【００４２】
（ＲＯ装置２）
図３は、ＲＯ装置２のハードウェア構成を概略的に示す図である。図３に示されるように、ＲＯ装置２は、当該ＲＯ装置２の動作を制御するコントローラ２０と、記憶装置２１とを含む。コントローラ２０は、ＣＰＵ（Central  Processing  Unit）等のプロセッサと、一次記憶装置の一例であるメモリとを含む。
【００４３】
記憶装置２１は、たとえばハードディスク等のメモリによって実現される。そして、記憶装置２１は、コントローラ２０のプロセッサが実行するプログラムを記憶するプログラム記憶領域２１１と、当該プログラムの実行に利用される各種のデータを記憶するデータ記憶領域２１２とを含む。
【００４４】
ＲＯ装置２は、さらに、通信装置２２と、操作器２３と、表示装置２４と、清浄水供給ユニット２５と、ヒータ２６と、ポンプ２７と、温度センサ２８とを含む。ＲＯ装置２では、コントローラ２０と、記憶装置２１と、操作器２３と、表示装置２４とが、制御用ユニット２Ａを構成する。
【００４５】
通信装置２２は、ＲＯ装置２が他の機器と通信するために設けられる。通信装置２２は、たとえば無線送受信装置によって実現される。
【００４６】
操作器２３は、ＲＯ装置２が外部からの操作を受け付けるために設けられる。操作器２３は、たとえば、操作ボタン、および／または、タッチパネルによって実現される。
【００４７】
表示装置２４は、ＲＯ装置２が情報を表示するために設けられ、たとえば液晶表示装置またはプラズマディスプレイ等の表示装置によって実現される。
【００４８】
清浄水供給ユニット２５は、逆浸透等により清浄水を生成する。温度センサ２８は、ヒータ２６によって加熱された清浄水の温度を計測する。
【００４９】
コントローラ２０は、通信装置２２を介して、透析用バルブ３９３、循環用バルブ３９４、および、循環用バルブ４９４と通信可能である。コントローラ２０は、これらのバルブの開閉を制御するための情報を各バルブ（または各バルブの開度を制御する装置）に、開または閉を指示するための情報を送信する。
【００５０】
（セントラル装置３）
次に、セントラル装置３のハードウェア構成を説明する。図４は、セントラル装置３のハードウェア構成を概略的に示す図である。
【００５１】
図４に示されるように、セントラル装置３は、当該セントラル装置３の動作を制御するコントローラ３０と、記憶装置３１とを含む。コントローラ３０は、ＣＰＵ等のプロセッサと、一次記憶装置の一例であるメモリとを含む。記憶装置３１は、コントローラ３０のプロセッサが実行するプログラムを記憶するプログラム記憶領域３１１と、当該プログラムの実行に利用される各種のデータを記憶するデータ記憶領域３１２とを含む。セントラル装置３は、さらに、通信装置３２と、操作器３３と、表示装置３４と、透析液調製ユニット３５と、洗浄ユニット３６とを含む。
【００５２】
通信装置３２は、セントラル装置３が他の機器と通信するために設けられ、たとえば無線送受信装置によって実現される。
【００５３】
操作器３３は、セントラル装置３が外部からの操作を受け付けるために設けられる。操作器３３は、たとえば、操作ボタン、および／または、タッチパネルによって実現される。
【００５４】
表示装置３４は、セントラル装置３が情報を表示するために設けられ、たとえば液晶表示装置またはプラズマディスプレイ等の表示装置によって実現される。
【００５５】
透析液調製ユニット３５は、Ａ原液とＢ原液と清浄水とを用いて、透析液を調製する。
洗浄ユニット３６は、セントラル装置３の洗浄のために設けられ、たとえば、洗浄液を貯蔵するタンク、当該タンクからセントラル装置３の内部に洗浄液を供給するために駆動される部材等を含む。
【００５６】
（透析装置４）
次に、透析装置４のハードウェア構成を説明する。図５は、透析装置４のハードウェア構成を概略的に示す図である。
【００５７】
図５に示されるように、透析装置４は、当該透析装置４の動作を制御するコントローラ４０と、記憶装置４１とを含む。コントローラ４０は、ＣＰＵ等のプロセッサと、一次記憶装置の一例であるメモリとを含む。記憶装置４１は、コントローラ４０のプロセッサが実行するプログラムを記憶するプログラム記憶領域４１１と、当該プログラムの実行に利用される各種のデータを記憶するデータ記憶領域４１２とを含む。透析装置４は、さらに、通信装置４２と、操作器４３と、表示装置４４と、透析ユニット４５と、洗浄ユニット４６とを含む。
【００５８】
通信装置４２は、透析装置４が他の機器と通信するために設けられ、たとえば無線送受信装置によって実現される。
【００５９】
操作器４３は、透析装置４が外部からの操作を受け付けるために設けられる。操作器４３は、たとえば、操作ボタン、および／または、タッチパネルによって実現される。
【００６０】
表示装置４４は、透析装置４が情報を表示するために設けられ、たとえば液晶表示装置またはプラズマディスプレイ等の表示装置によって実現される。
【００６１】
透析ユニット４５は、透析治療のために、透析装置４において透析液を循環させる。
洗浄ユニット４６は、透析装置４の洗浄のために設けられ、たとえば、洗浄液を貯蔵するタンク、当該タンクから透析装置４の内部に洗浄液を供給するために駆動される部材等を含む。
【００６２】
（Ａ原液タンク５，Ｂ原液タンク６）
次に、Ａ原液タンク５とＢ原液タンク６のハードウェア構成を説明する。図６は、Ａ原液タンク５のハードウェア構成を概略的に示す図である。図７は、Ｂ原液タンク６のハードウェア構成を概略的に示す図である。
【００６３】
図６に示されるように、Ａ原液タンク５は、当該Ａ原液タンク５の動作を制御するコントローラ５０と、記憶装置５１とを含む。コントローラ５０は、ＣＰＵ等のプロセッサと、一次記憶装置の一例であるメモリとを含む。記憶装置５１は、コントローラ５０のプロセッサが実行するプログラムを記憶するプログラム記憶領域５１１と、当該プログラムの実行に利用される各種のデータを記憶するデータ記憶領域５１２とを含む。Ａ原液タンク５は、さらに、通信装置５２と、操作器５３と、表示装置５４と、Ａ原液供給ユニット５５と、洗浄ユニット５６とを含む。
【００６４】
通信装置５２は、Ａ原液タンク５が他の機器と通信するために設けられ、たとえば無線送受信装置によって実現される。操作器５３は、Ａ原液タンク５が外部からの操作を受け付けるために設けられる。操作器５３は、たとえば、操作ボタン、および／または、タッチパネルによって実現される。表示装置５４は、Ａ原液タンク５が情報を表示するために設けられ、たとえば液晶表示装置またはプラズマディスプレイ等の表示装置によって実現される。Ａ原液供給ユニット５５は、Ａ原液を貯留し、また、当該Ａ原液を他の装置等に供給する。洗浄ユニット５６は、Ａ原液タンク５の洗浄のために設けられ、たとえば、洗浄液を貯蔵するタンク、当該タンクからＡ原液タンク５の内部に洗浄液を供給するために駆動される部材等を含む。
【００６５】
図７に示されるように、Ｂ原液タンク６は、Ａ原液タンク５に対して、Ａ原液タンク５がＡ原液を貯留する代わりにＢ原液を貯留することのみ異なる。
【００６６】
より具体的には、Ｂ原液タンク６は、当該Ｂ原液タンク６の動作を制御するコントローラ６０と、記憶装置６１とを含む。コントローラ６０は、ＣＰＵ等のプロセッサと、一次記憶装置の一例であるメモリとを含む。記憶装置６１は、コントローラ６０のプロセッサが実行するプログラムを記憶するプログラム記憶領域６１１と、当該プログラムの実行に利用される各種のデータを記憶するデータ記憶領域６１２とを含む。Ｂ原液タンク６は、さらに、通信装置６２と、操作器６３と、表示装置６４と、Ｂ原液供給ユニット６５と、洗浄ユニット６６とを含む。
【００６７】
通信装置６２は、Ｂ原液タンク６が他の機器と通信するために設けられ、たとえば無線送受信装置によって実現される。操作器６３は、Ｂ原液タンク６が外部からの操作を受け付けるために設けられる。操作器６３は、たとえば、操作ボタン、および／または、タッチパネルによって実現される。表示装置６４は、Ｂ原液タンク６が情報を表示するために設けられ、たとえば液晶表示装置またはプラズマディスプレイ等の表示装置によって実現される。Ｂ原液供給ユニット６５は、Ｂ原液を貯留し、また、当該Ｂ原液を他の装置等に供給する。洗浄ユニット６６は、Ｂ原液タンク６の洗浄のために設けられ、たとえば、洗浄液を貯蔵するタンク、当該タンクからＢ原液タンク６の内部に洗浄液を供給するために駆動される部材等を含む。
【００６８】
＜洗浄モードでのタイミングチャート＞
血液浄化システム１における、洗浄モードでの装置間の情報のやり取りについて説明する。図８は、第１の実施の形態の血液浄化システム１における装置間での情報のやり取りを説明するためのタイミングチャートである。
【００６９】
図８を参照して、血液浄化システム１が洗浄モードに移行する際、たとえば矢印Ａ０１として示されるように、ＲＯ装置２に対して洗浄の指示が入力される。これに応じて、ＲＯ装置２のコントローラ２０のプロセッサは、当該ＲＯ装置２の洗浄を実行する。また、当該プロセッサは、セントラル装置３、Ａ原液タンク５、Ｂ原液タンク６および透析装置４のそれぞれに、各装置を洗浄する指示を送信する。図８では、これらの指示が矢印Ａ０２，Ａ０３，Ａ０４，Ａ０５で示されている。セントラル装置３、Ａ原液タンク５、Ｂ原液タンク６および透析装置４のそれぞれは、上記指示に応じて、各装置を洗浄する。
【００７０】
セントラル装置３、Ａ原液タンク５、Ｂ原液タンク６および透析装置４のそれぞれは、各装置の洗浄が完了すると、ＲＯ装置２に完了を通知する。図８では、当該通知が矢印Ａ０５，Ａ０６，Ａ０７，Ａ０８で示されている。
【００７１】
ＲＯ装置２のプロセッサは、洗浄の指示を出したすべての装置から洗浄完了の通知を受けると、血液浄化システム１内の各装置を熱湯で消毒するための熱水循環処理（ステップＡ１０）を実行する。熱水循環処理の内容は、図９を参照して詳述される。
【００７２】
＜熱水循環処理＞
図９は、ＲＯ装置２のコントローラ４０のプロセッサによって実行される熱水循環処理のフローチャートである。以下に、熱水循環処理の内容を説明する。
【００７３】
ステップＳ１０で、プロセッサは、ヒータ２６による加熱動作をＯＮする。そして、制御はステップＳ２０へ進められる。
【００７４】
ステップＳ２０で、プロセッサは、ＲＯ装置２から中央ループ８へ供給される清浄水（たとえば、ＲＯ装置２と中央ループ８との接続部分に貯留されている清浄水）の温度が、予め定められた温度Ｔ１以上であるか否かを判断する。温度Ｔ１は、血液浄化システム１内の装置を加熱して消毒するための温度であり、たとえば８０℃程度である。そして、プロセッサは、上記清浄水の温度が温度Ｔ１以上であると判断するとステップＳ３０へ制御を進める。一方、プロセッサは、当該温度が温度Ｔ１未満であると判断すると、当該温度が温度Ｔ１以上となるまでステップＳ２０の制御に留まる。
【００７５】
ステップＳ３０で、プロセッサは、透析用バルブ３９３等の透析用バルブを閉じる。これは、たとえば、透析用バルブ３９３に対して流路を閉じるための制御信号が送信されることにより、実現される。そして、制御はステップＳ４０へ進められる。
【００７６】
ステップＳ４０で、プロセッサは、循環用バルブ４９４および循環用バルブ３９４等の循環用バルブを開く。これは、たとえば、循環用バルブ４９４および循環用バルブ３９４に対して流路を開くための制御信号が送信されることにより、実現される。そして、制御はステップＳ５０へ進められる。
【００７７】
ステップＳ５０で、プロセッサは、ポンプ２７の駆動をＯＮする。これにより、中央ループ８内で、温度Ｔ１以上に加熱された清浄水が循環する。そして、制御はステップＳ６０へ進められる。
【００７８】
ステップＳ６０で、プロセッサは、ステップＳ５０でポンプ２７の駆動を開始してから予め定められた時間が経過したか否かを判断する。ステップＳ６０での「予め定められた時間」とは、血液浄化システム１の各装置の消毒のために連続して熱水を通過されることが必要とされる時間であり、たとえば１０分程度である。そして、プロセッサは、当該時間が経過するまでステップＳ６０の制御に留まる。そして、プロセッサは、当該時間が経過したと判断すると、ステップＳ７０へ制御を進める。
【００７９】
ステップＳ７０で、プロセッサは、ステップＳ１０で開始された、ヒータ２６による加熱動作をＯＦＦする。そして、制御はステップＳ８０へ進められる。
【００８０】
ステップＳ８０で、プロセッサは、ステップＳ４０で開かれた循環用バルブを閉じる。そして、制御はステップＳ９０へ進められる。
【００８１】
ステップＳ９０で、プロセッサは、ステップＳ５０で開始された、ポンプ２７の駆動を停止させる。そして、制御はステップＳ１００へ進められる。
【００８２】
ステップＳ１００で、プロセッサは、ステップＳ３０で閉じられた透析用バルブを開く。これにより、図９の処理は終了する。
【００８３】
以上説明された第１の実施の形態では、血液浄化システム１は、治療モーと洗浄モードとで動作する。洗浄モードでは、ＲＯ装置２は、ヒータ２６で加熱された清浄水を、透析装置４、Ａ原液タンク５、Ｂ原液タンク６およびセントラル装置３等の各装置へ供給する。これにより、血液浄化システム１では、各装置が加熱によって消毒される。なお、各装置は、加熱された清浄水を供給された後、当該清浄水を、返送用配管３９２および返送用配管４９２を介して、中央ループ８へ返送する。当該返送された清浄水は、中央ループ８を介してＲＯ装置２に戻される。ＲＯ装置２のヒータ２６は、各装置から戻された清浄水を、必要に応じて再度加熱して、中央ループ８へ供給する。当該供給された清浄水は、再度各装置へ供給される。
【００８４】
血液浄化システム１では、加熱後の清浄水が各装置で消毒に利用された後、再度、ＲＯ装置２へ戻される。これにより、ＲＯ装置２のヒータ２６には、ＲＯ装置２において元々室温等で貯留されていたものより温度が高い清浄水が返送される。これにより、温度Ｔ１以上の清浄水を提供することを必要とされるヒータ２６が要するエネルギ量を削減することができる。
【００８５】
なお、供給用配管３９１および供給用配管４９１などの内部に通常流れるものは、ＲＯ装置２から提供される清浄水のみである。このことから、供給用配管３９１および供給用配管４９１の内部に異物が付着する等の可能性は極めて低いと言える。したがって、供給用配管３９１供給用配管４９１内の消毒の際に供給用配管３９１および供給用配管４９１に導入された消毒用の溶液（加熱された清浄水）は、順次廃棄されるのではなく、中央ループ８等を介して循環されても、供給用配管３９１および供給用配管４９１は十分消毒されると考えられる。
【００８６】
第１の実施の形態の血液浄化システム１において、ＲＯ装置２、透析装置４、Ａ原液タンク５、Ｂ原液タンク６、および、セントラル装置３により、血液治療に利用される治療用装置が構成される。なお、透析装置４は、血液浄化治療のために透析液を循環させる血液浄化装置の一例である。セントラル装置３は、透析液を調製するための透析液調製装置の一例である。Ａ原液タンク５およびＢ原液タンク６の少なくとも一方は、透析液を生成するための薬剤を提供するための一実施の形態の薬剤提供装置である。
【００８７】
［第２の実施の形態］
第２の実施の形態の血液浄化システムでは、Ａ原液タンク５およびＢ原液タンク６は、Ａ原液およびＢ原液を、セントラル装置３を介することなく、透析装置７に直接供給する。つまり、第２の実施の形態の血液浄化システム１Ａは、第１の実施の形態の血液浄化システム１が備えていたセントラル装置３を必要としない。図１０および図１１は、第２の実施の形態の血液浄化システム１Ａの構成を示す図である。図１０および図１１を参照して、血液浄化システム１Ａの構成を説明する。なお、図１０には、治療モードにおける、血液浄化システム１Ａ内の溶液の流れが示されている。一方、図１１には、洗浄モードにおける、血液浄化システム１Ａ内の溶液の流れが示されている。
【００８８】
＜血液浄化システム１Ａの構成＞
図１０および図１１に示されるように、血液浄化システム１Ａにおいて、Ａ原液タンク５は、供給用配管３９５を介して、中央ループ８から清浄水を供給される。そして、Ａ原液タンク５には、中央ループ８へ清浄水を返送するための返送用配管５９２が取り付けられている。返送用配管５９２上には循環用バルブ５９４が設けられている。循環用バルブ５９４は、返送用配管５９２内の流路の開度を調節する調節手段の一例である。そして、Ａ原液タンク５は、透析用配管３９６を介して、各透析装置７にＡ原液（Ａ原液タンク５において濃度が適切に調製されたもの）が供給される。透析用配管３９６上には、透析用バルブ５９３が設けられている。
【００８９】
また、Ｂ原液タンク６は、供給用配管３９７を介して、中央ループ８から清浄水を供給される。そして、Ｂ原液タンク６には、中央ループ８へ清浄水を返送するための返送用配管６９２が取り付けられている。返送用配管６９２上には循環用バルブ６９４が設けられている。循環用バルブ６９４は、返送用配管６９２内の流路の開度を調節する調節手段の一例である。そして、Ｂ原液タンク６は、透析用配管３９８を介して、各透析装置７にＢ原液（Ｂ原液タンク６において濃度が適切に調製されたもの）が供給される。透析用配管３９８上には、透析用バルブ６９３が設けられている。
【００９０】
＜治療モードにおける血液浄化システム１Ａの動作＞
図１０を参照して、治療モードにおける血液浄化システム１Ａの動作を説明する。治療モードでは、各透析装置４は、それぞれに接続された供給用配管４９１を介して、清浄水を供給される（矢印Ｄ０５）。治療モードでは、各返送用配管４９２は閉じられている。したがって、治療モードでは、透析装置４に供給された清浄水は、中央ループ８に返送されない。
【００９１】
また、治療モードにおいて、Ａ原液タンク５は、供給用配管３９５を介して、中央ループ８から清浄水を供給される。この清浄水の流れは、矢印Ｄ２２として示されている。そして、Ａ原液タンク５は、透析用配管３９６および透析用バルブ５９３を介して、各透析装置７にＡ原液（適切な濃度に希釈されたもの）を供給する。このＡ原液の流れは、矢印Ｄ２４として示されている。治療モードでは、循環用バルブ５９４は閉じられている。これにより、Ａ原液タンク５に供給された清浄水は、中央ループ８に返送されない。
【００９２】
Ｂ原液タンク６は、供給用配管３９７を介して、中央ループ８から清浄水を供給される。この清浄水の流れは、矢印Ｄ２３として示されている。そして、Ｂ原液タンク６は、透析用配管３９８および透析用バルブ６９３を介して、各透析装置７にＢ原液（適切な濃度に希釈されたもの）を供給する。このＢ原液の流れは、矢印Ｄ２４として示されている。治療モードでは、循環用バルブ６９４は閉じられている。これにより、Ｂ原液タンク６に供給された清浄水は、中央ループ８に返送されない。
【００９３】
＜洗浄モードにおける血液浄化システム１Ａの動作＞
図１１を参照して、洗浄モードにおける血液浄化システム１Ａの動作を説明する。洗浄モードでは、各循環用バルブ４９４は開かれている。したがって、各透析装置４は、それぞれに接続された返送用配管４９２を介して、中央ループ８へ清浄水を返送する（矢印Ｄ３６）。
【００９４】
また、洗浄モードでは、透析用バルブ５９３および透析用バルブ６９３は閉じられ、循環用バルブ５９４および循環用バルブ６９４は開かれている。これにより、Ａ原液タンク５は、Ａ原液および清浄水を透析装置７に送らない。Ａ原液タンク５は、返送用配管５９２を介して、中央ループ８へ清浄水を返送する（矢印Ｄ３２）。また、Ｂ原液タンク６は、Ｂ原液および清浄水を透析装置７に送らない。Ｂ原液タンク６は、返送用配管６９２を介して、中央ループ８へ清浄水を返送する（矢印Ｄ３３）。
【００９５】
＜ＲＯ装置２のハードウェア構成＞
第２の実施の形態のＲＯ装置２は、セントラル装置３に接続された管上のバルブの開閉を制御する代わりに、Ａ原液タンク５およびＢ原液タンク６に接続された管上のバルブの開閉を制御することにより、治療モードおよび洗浄モードにおける溶液の流れを調整する。図１２は、第２の実施の形態のＲＯ装置２のハードウェア構成の一例を示す図である。
【００９６】
図３に示された第１の実施の形態のＲＯ装置２のコントローラ２０と比較して、第２の実施の形態のＲＯ装置２のコントローラ２０は、透析用バルブ３９３および循環用バルブ３９４の代わりに、透析用バルブ５９３，６９３および循環用バルブ５９４，６９４に接続されている。第２の実施の形態において、治療モードでは、コントローラ２０は、図１０に示されるように透析用バルブ５９３，６９３を開け、循環用バルブ５９４，６９４，４９４を閉じる。
【００９７】
一方、洗浄モードでは、コントローラ２０は、図１１に示されるように透析用バルブ５９３，６９３を閉じ、循環用バルブ５９４，６９４，４９４を開ける。また、ヒータ２６で、透析装置４、Ａ原液タンク５およびＢ原液タンク６へ供給される清浄水を加熱する。これにより、透析装置４、Ａ原液タンク５およびＢ原液タンク６は、加熱された清浄水を供給され、また、当該清浄水を中央ループ８を介してＲＯ装置２へ返送する。
【００９８】
［第３の実施の形態］
第３の実施の形態の血液浄化システム１は、第１の実施の形態の血液浄化システム１と同様に、ＲＯ装置２、Ａ原液タンク５、Ｂ原液タンク６、および透析装置４を含む。つまり、第３の実施の形態の血液浄化システム１の構成の一例は、図１または図２に示された構成である。そして、第３の実施の形態では、Ａ原液タンク５、Ｂ原液タンク６、および透析装置４のそれぞれに接続された管上に設けられたバルブの開閉は、ＲＯ装置２」ではなく、各装置によって切り替えられる。
【００９９】
より具体的には、治療モードでは、セントラル装置３のコントローラ３０（図４参照）は、透析用バルブ３９３を開き、循環用バルブ３９４を閉じる。また、治療モードでは、透析装置４のコントローラ４０（図５参照）は、循環用バルブ４９４を閉じる。
【０１００】
一方、洗浄モードでは、セントラル装置３のコントローラ３０は、透析用バルブ３９３を閉じ、循環用バルブ３９４を開く。また、洗浄モードでは、透析装置４のコントローラ４０は、循環用バルブ４９４を開く。
【０１０１】
血液浄化システム１における、洗浄モードでの装置間の情報のやり取りについて説明する。図１３は、第３の実施の形態の血液浄化システム１における装置間での情報のやり取りを説明するためのタイミングチャートである。
【０１０２】
図１３に示されるように、ＲＯ装置２のコントローラ２０のプロセッサは、洗浄の指示を入力されると（矢印Ａ０１）、セントラル装置３、Ａ原液タンク５、Ｂ原液タンク６および各透析装置４に洗浄を指示する（矢印Ａ０２，Ａ０３，Ａ０４，Ａ０５）。これに応じて、セントラル装置３、Ａ原液タンク５、Ｂ原液タンク６および各透析装置４は、それぞれを洗浄する。そして、各装置は、洗浄の完了をＲＯ装置２へ通知する（矢印Ａ０６，Ａ０７，Ａ０８，Ａ０９）。そして、セントラル装置３のコントローラ３０は、透析用バルブ３９３を閉じ（図１３中のステップＡ０６−１）、また、循環用バルブ３９４を開く（図１３中のステップＡ０６−２）。さらに、透析装置４のコントローラ４０は、循環用バルブ４９４を開く。
【０１０３】
そして、ＲＯ装置２のコントローラ２０のプロセッサは、ステップＡ１１として、熱水循環処理を実行する。ステップＡ１１の熱水循環処理の内容は、図９に示された熱水循環処理と基本的に同じである。ただし、ステップＡ１１の熱水循環処理は、図９に示された熱水循環処理と比較して、バルブの開閉のための制御（ステップＳ３０，Ｓ４０，Ｓ８０，およびＳ１００）を含まない。
【０１０４】
ＲＯ装置２のプロセッサは、熱水循環処理（ステップＡ１１）が完了すると、セントラル装置３および透析装置４に対して、当該処理の完了を通知する（矢印Ａ１２，Ａ１４）。これに応じて、セントラル装置３のコントローラ３０は、循環用バルブ３９４を閉じ（図１３中のステップＡ１３−１）、また、透析用バルブ３９３を開く（図１３中のステップＡ１３−２）。また、各透析装置４のコントローラ４０は、循環用バルブ４９４を閉じる（図１３中のステップＡ１５−１）。
【０１０５】
以上説明した第３の実施の形態の血液浄化システム１では、各装置に接続されたバルブの開閉は、各装置のコントローラが切り替える。これにより、ＲＯ装置２の制御の負荷を他の装置に分散される。
【０１０６】
［第４の実施の形態］
図１４は、第４の実施の形態の血液浄化システムの構成を概略的に示す図である。図１４に示されるように、第４の実施の形態の血液浄化システム１Ｂは、ＲＯ装置２、セントラル装置３、Ａ原液タンク５、Ｂ原液タンク６、および透析装置４，７に加えて、制御装置１００を含む。
【０１０７】
制御装置１００は、プロセッサ１０１と、記憶装置１０２と、通信装置１０３と、入力装置１０４とを含む。第１〜第３の実施の形態では、ＲＯ装置２の制御用ユニット２Ａが、血液浄化システム１または血液浄化システム１Ａの洗浄モードを制御する。第４の実施の形態では、プロセッサ１０１が、血液浄化システム１Ｂの洗浄モードを制御する。
【０１０８】
記憶装置１０２は、ハードディスク等のメモリによって実現される。そして、記憶装置１０２は、プロセッサ１０１が実行するプログラムと、当該プログラムの実行に必要な各種のデータとを記憶する。
【０１０９】
通信装置１０３は、たとえば無線送受信装置によって実現される。通信装置１０３は、制御装置１００が血液浄化システム１Ｂ内の他の装置と通信するために設けられる。
【０１１０】
入力装置１０４は、たとえば、ボタン、キーボード、およびタッチセンサによって実現される。制御装置１００は、入力装置１０４を介して、情報の入力を受け付ける。
【０１１１】
以上説明した第４の実施の形態では、血液浄化システム１Ｂは、ＲＯ装置２、セントラル装置３、Ａ原液タンク５、Ｂ原液タンク６、および透析装置４，７に加えて、洗浄モードにおける制御を実行するための装置（制御装置１００）を含む。これにより、既存の血液浄化システムに制御装置１００を追加するだけで、当該既存の血液浄化システムを本開示に従った血液浄化システムへと変更することができる。
【０１１２】
今回開示された実施の形態およびその変形例はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【０１１３】
第１〜第３の実施の形態では、ＲＯ装置２の制御用ユニット２Ａが、血液浄化システム１または血液浄化システム１Ａの洗浄モードを制御した。なお、血液浄化システム１または血液浄化システム１Ａでは、セントラル装置３、Ａ原液タンク５、Ｂ原液タンク６、および透析装置４の中の１つの装置のコントローラが上記洗浄モードを制御してもよい。または、ＲＯ装置２、セントラル装置３、Ａ原液タンク５、Ｂ原液タンク６、および透析装置４の中の２つ以上の装置のコントローラが協働して上記洗浄モードを制御してもよい。
【符号の説明】
【０１１４】
１，１Ａ，１Ｂ  血液浄化システム、２  ＲＯ装置、２Ａ  制御用ユニット、３  セントラル装置、４，７  透析装置、５  Ａ原液タンク、６  Ｂ原液タンク、８  中央ループ、２０，３０，４０，５０，６０  コントローラ、２１，３１，４１，５１，６１，１０２  記憶装置、２２，３２，４２，５２，６２，１０３  通信装置、２３，３３，４３，５３，６３  操作器、２４，３４，４４，５４，６４  表示装置、２６  ヒータ、２７  ポンプ。
【図１】
2018050751.tif 000003
【図２】
2018050751.tif 000004
【図３】
2018050751.tif 000005
【図４】
2018050751.tif 000006
【図５】
2018050751.tif 000007
【図６】
2018050751.tif 000008
【図７】
2018050751.tif 000009
【図８】
2018050751.tif 000010
【図９】
2018050751.tif 000011
【図１０】
2018050751.tif 000012
【図１１】
2018050751.tif 000013
【図１２】
2018050751.tif 000014
【図１３】
2018050751.tif 000015
【図１４】
2018050751.tif 000016